(57)【特許請求の範囲】
【請求項１】
コーナー部と直線部とを有するベランダやバルコニーの周囲の躯体上に手摺を施工する手摺の施工方法において、
コーナー部ユニットとして、コーナー部の躯体に対応して平面視が曲がった構造を有するコーピングと、このコーピング上に固定する複数本の支柱と、この支柱上に載置され、コーナー部の躯体に対応して平面視が曲がった構造を有し、直線部ユニットの胴縁の端部に対向する端部を端部支柱上面の片側の領域に載置して、この端部に貫通して前記支柱のタッピングホールに螺合する固定具により固定する胴縁とを有するものを準備する工程と、
直線部ユニットとして、直線状をなすコーピングと、このコーピング上に固定する複数本の支柱と、これらの支柱上に載置されて固定具により固定され、一端部が端部支柱上面から水平に延出した胴縁とを有するものを準備する工程と、
前記コーナー部ユニットと前記直線部ユニットとを、前記直線部ユニットの胴縁の端部を、前記コーナー部ユニットの胴縁の端部を固定した支柱上面の残りの領域に、前記コーナー部ユニットの胴縁の端部との間に躯体の図面と実際の施工寸法との誤差により決定される隙間を持たせて載置してそれぞれ前記躯体のコーナー部上と直線部上に各ユニットのコーピングを固定する工程と、
互いに対向する前記コーナー部ユニットの胴縁の端部と前記直線部ユニットの胴縁との端部との間に両者を結合する補強部材を嵌合し、この補強部材を前記両ユニットの各胴縁に固定具により固定する工程と、
前記コーナー部ユニットの胴縁に被せる笠木を、その笠木の一部を直線部ユニットの胴縁の一部にも被せて取付ける工程と、
前記コーナー部ユニットと前記直線部ユニットの各笠木の端部間の隙間および各コーピング間の隙間をカバーにより被う工程とを含むことを特徴とする手摺の施工方法。
【請求項２】
コーナー部と直線部とを有するベランダやバルコニーの周囲の躯体上に設けられる手摺において、
前記コーナー部の躯体上に設けられるコーナー部ユニットと、直線状の躯体部上に設けられる直線部ユニットとを備え、
前記コーナー部ユニットは、前記コーナー部の躯体上に被せられ、前記コーナー部に対応して平面視が曲がった構造を有するコーピングと、このコーピング上に固定された複数本の支柱と、これらの支柱上に載置され、平面視が曲がった構造を有し、前記直線部ユニットの胴縁の端部に対向する端部が端部支柱上面の片側の領域に載置されて、この端部に貫通して前記支柱のタッピングホールに螺合する固定具により固定される胴縁と、この胴縁に被せられる笠木とを備え、
前記直線部ユニットは、直線状のコーピングと、このコーピング上に固定される複数本の支柱と、この支柱上に載置されて固定具により固定され、少なくとも一端部が、前記コーナー部ユニットの前記端部支柱の上面の残部の領域に、前記コーナー部ユニットの胴縁の端部との間に躯体の図面と実際の施工寸法との誤差により決定される隙間を持たせて載置される胴縁と、この胴縁上に被せられる笠木と、
互いに対向する前記コーナー部ユニットの胴縁の端部と前記直線部ユニットの胴縁との端部に嵌合して設けられ、前記両ユニットの各胴縁に固定具により固定されて両者を結合する補強部材とを備え、
前記コーナー部ユニットの胴縁に被せられる笠木は、前記コーナー部ユニットの胴縁の端部と、前記直線部ユニットの胴縁の端部との隙間を覆い、
前記コーナー部ユニットと前記直線部ユニットの各笠木の端部間の隙間および各コーピング間の隙間をカバーにより被ったことを特徴とする手摺。
【発明の詳細な説明】
【技術分野】
【０００１】
本発明は、ベランダやバルコニーの上面に取付けられる手摺とその施工方法に係り、特に現場の採寸が不要な下見レス工法によって施工される手摺とその施工方法に関する。
【背景技術】
【０００２】
ベランダやバルコニーの周囲の躯体上に取付ける手摺は、例えば特許文献１に開示されているように、躯体の上面にコーピングを固定し、このコーピング上に支柱を取付け、支柱上に胴縁を載せて固定し、胴縁上に笠木を被せて構成する。また、笠木やコーピングの継目にはカバーを設ける。このような手摺の施工方法の１つに、施工現場でベランダの各部寸法を測定し、現場で切断等の工程によりコーピング、胴縁および笠木の長さを調整すると共に、締結用の固定具を挿入するための孔を加工して組み立てる方法がある。この現場での材料の加工を行う施工方法によれば、現場での加工を行うためのスペース、時間、労力を要し、工費が高くなる。
【０００３】
このような問題点を解消する手摺の施工方法として、通称、下見レス工法と称される施工方法がある。この工法は、ベランダやバルコニーの図面に基づいて工場においてコーピング、胴縁、笠木の長さを現場に合った長さに加工し、現場で材料を加工することなく組み立てる工法である。この工法を用いれば、現場における切断等の加工がないため、現場における施工が容易であり、施工時間の短縮、労力の削減、工費の低減が図れる。
【０００４】
従来はこの下見レス工法により手摺を施工する場合、図１４〜図１６に示すような素材の構造、組立手順をとっている。図１４において、５０はベランダやバルコニーの周囲に設けられた躯体であり、外壁あるいはフェンスを構成するものである。５１はこの躯体５０上に固定される取付金具である。５２，５３はそれぞれ工場において予め組立てられたコーナー部ユニット、直線部ユニットである。５４，５５はそれぞれ取付金具５１に嵌合して固定されるコーピング、５６，５７はコーピング５４，５５上に固定具（図示せず）により固定される支柱、５８，５９は支柱５６，５７上に固定具６２（図１６参照）により固定される胴縁、６０，６１はこの胴縁５８，５９に被せる笠木である。
【０００５】
従来の工法では、現場の建物の図面から、躯体５０の寸法を知り、工場においてコーピング５４，５５、支柱５６，５７、胴縁５８，５９および笠木６０，６１の長さを躯体５０の寸法に合わせる加工を行う。そして工場あるいは現場においてユニット５２，５３を組み立てる。この組立の際に、図１５、図１６に示すように、コーナー部ユニット５２の胴縁５８の途中部分を支柱５６上に固定具６２により固定し、コーナー部ユニット５２の胴縁５８を笠木６０で覆う。このとき、胴縁５８の端部が笠木６０の端部から延出する。この延出した胴縁５８の端部と直線部ユニット５３の胴縁５８を直線部ユニット５３用の笠木６１で覆い、笠木６０，６１間の隙間をカバー６３により覆う。また、コーピング５４，５５間の隙間をカバー６４により覆う。
【０００６】
【特許文献１】特開２０００−２４８７１１号公報
【発明の開示】
【発明が解決しようとする課題】
【０００７】
上記した従来の手摺は、図１６に示すように、胴縁５８，５９の間の隙間Ｇが笠木６０の下面に露出する。ところがこれらの胴縁５８，５９はアルミニウム合金製の押出形材でなるため、端面が切断面であり、鋭利であって、安全性向上の面で改良すべき課題を含んでいる。
【０００８】
また、各ユニット５２，５３の胴縁５８，５９を支柱５６，５７上の固定部から空中に延出させた部分で笠木６１で覆って一体化しているため、支柱５６，５７による支持強度を確保する必要上、コーナー部ユニット５２の支柱５６と直線部ユニット５３の支柱５７とを近接配置している。このため、図１４に示すように、支柱５６，５７間の間隔Ａと、支柱５７，５７間の間隔Ｂが不均等となり、外観が悪いという問題点がある。また、強度確保のため、支柱５６，５７のトータルの本数が多くなるという問題点がある。
【０００９】
本発明は、上記問題点に鑑み、下見レス工法により施工される手摺において、安全性が高まり、かつ外観も向上させることができると共に、支柱の本数の削減が可能となる構成の手摺とその施工方法を提供することを目的とする。
【課題を解決するための手段】
【００１０】
本発明の手摺の施工方法は、コーナー部と直線部とを有するベランダやバルコニーの周囲の躯体上に手摺を施工する手摺の施工方法において、
コーナー部ユニットとして、コーナー部の躯体に対応して平面視が曲がった構造を有するコーピングと、このコーピング上に固定する複数本の支柱と、この支柱上に載置され、コーナー部の躯体に対応して平面視が曲がった構造を有し、直線部ユニットの胴縁の端部に対向する端部を端部支柱上面の片側の領域に載置して、この端部に貫通して前記支柱のタッピングホールに螺合する固定具により固定する胴縁とを有するものを準備する工程と、
直線部ユニットとして、直線状をなすコーピングと、このコーピング上に固定する複数本の支柱と、これらの支柱上に載置されて固定具により固定され、一端部が端部支柱上面から水平に延出した胴縁とを有するものを準備する工程と、
前記コーナー部ユニットと前記直線部ユニットとを、前記直線部ユニットの胴縁の端部を、前記コーナー部ユニットの胴縁の端部を固定した支柱上面の残りの領域に、前記コーナー部ユニットの胴縁の端部との間に躯体の図面と実際の施工寸法との誤差により決定される隙間を持たせて載置してそれぞれ前記躯体のコーナー部上と直線部上に各ユニットのコーピングを固定する工程と、
互いに対向する前記コーナー部ユニットの胴縁の端部と前記直線部ユニットの胴縁との端部との間に両者を結合する補強部材を嵌合し、この補強部材を前記両ユニットの各胴縁に固定具により固定する工程と、
前記コーナー部ユニットの胴縁に被せる笠木を、その笠木の一部を直線部ユニットの胴縁の一部にも被せて取付ける工程と、
前記コーナー部ユニットと前記直線部ユニットの各笠木の端部間の隙間および各コーピング間の隙間をカバーにより被う工程とを含むことを特徴とする。
【００１１】
本発明の手摺は、コーナー部と直線部とを有するベランダやバルコニーの周囲の躯体上に設けられる手摺において、
前記コーナー部の躯体上に設けられるコーナー部ユニットと、直線状の躯体部上に設けられる直線部ユニットとを備え、
前記コーナー部ユニットは、前記コーナー部の躯体上に被せられ、前記コーナー部に対応して平面視が曲がった構造を有するコーピングと、このコーピング上に固定された複数本の支柱と、これらの支柱上に載置され、平面視が曲がった構造を有し、前記直線部ユニットの胴縁の端部に対向する端部が端部支柱上面の片側の領域に載置されて、この端部に貫通して前記支柱のタッピングホールに螺合する固定具により固定される胴縁と、この胴縁に被せられる笠木とを備え、
前記直線部ユニットは、直線状のコーピングと、このコーピング上に固定される複数本の支柱と、この支柱上に載置されて固定具により固定され、少なくとも一端部が、前記コーナー部ユニットの前記端部支柱の上面の残部の領域に、前記コーナー部ユニットの胴縁の端部との間に躯体の図面と実際の施工寸法との誤差により決定される隙間を持たせて載置される胴縁と、この胴縁上に被せられる笠木と、
互いに対向する前記コーナー部ユニットの胴縁の端部と前記直線部ユニットの胴縁との端部に嵌合して設けられ、前記両ユニットの各胴縁に固定具により固定されて両者を結合する補強部材とを備え、
前記コーナー部ユニットの胴縁に被せられる笠木は、前記コーナー部ユニットの胴縁の端部と、前記直線部ユニットの胴縁の端部との隙間を覆い、
前記コーナー部ユニットと前記直線部ユニットの各笠木の端部間の隙間および各コーピング間の隙間をカバーにより被ったことを特徴とする。
【発明の効果】
【００１２】
本発明によれば、支柱の上部で互いに胴縁どうしを対向させ、コーナー部ユニットの胴縁を支柱に固定具により固定し、直線部ユニットの胴縁は単に載置するだけとし、これらの胴縁間の隙間をコーナー部ユニットの笠木により覆ったので、胴縁間の隙間が支柱により隠され、笠木の下面に露出しない。このため、胴縁の切断面である端面が外部に現れず、安全性が向上する。
【００１３】
また、胴縁同士が支柱上で連結されるため、胴縁同士の連結部の強度が容易に確保される。このため、従来のようにコーナー部ユニットと直線部ユニットの支柱の間隔を狭める必要がなくなり、支柱の本数を削減でき、コスト低減に寄与する。また、支柱の間隔を均等にすることができ、外観を向上させることができる。
【００１４】
また、支柱上で対向する胴縁の端部同士をこれらの胴縁に嵌合する補強部材とこれらを胴縁に固定具により固定したので、胴縁同士の結合強度が上がる。
【発明を実施するための最良の形態】
【００１５】
図１は本発明による手摺の一実施の形態を示す斜視図、図２はその縦断面図である。１はベランダあるいはバルコニーの周囲に立設される躯体である。この躯体１は図２に示すように木製の壁材１ａの周囲をサイディングや塗料からなる外装材１ｂを設けて構成される。この例の躯体１は両端に出隅状のコーナー部１ｃ、１ｃを有し、その間に直線部１ｄが設けられた構造のものを示す。
【００１６】
手摺はこの躯体１上に取付けられるもので、躯体１のコーナー部１ｃ上に固定されるコーナー部ユニット２と、躯体１の直線部１ｄに固定される直線部ユニット３とからなる。
【００１７】
コーナー部ユニット２は、平面視がＬ字形に組まれたコーピング４と、その上に固定された複数本（図示例は３本）の支柱５と、これらの支柱５の上面に固定された胴縁６と、胴縁６上に被せた笠木７とからなる。直線部ユニット３は、直線状をなすコーピング８と、その上に固定される複数本（図示例は２本）の支柱９と、これらの支柱９の上面に固定される胴縁１０と、この胴縁１０上に被せる笠木１１とからなる。コーピング４，８、支柱５，９、胴縁６，１０および笠木７，１１はアルミニウム合金製の押出形材からなる。
【００１８】
躯体１上には、タッピングねじ等の固定具１３により複数のコーピング取付金具１４が間隔を有して固定される。コーピング４は、天板部４ａと両側の側板部４ｂとを有し、側板部４ｂの内面には、コーピング４を取付金具１４に固定するための係止部４ｃを有する。コーピング４は、これを取付金具１４の上面から押し付け、側板部４ｂを取付金具１４の両側の斜面１４ａに沿って滑らせ、取付金具１４の上面に設けたスペーサ１５にコーピング４の天板部４ａの下面を当て、係止部４ｃを取付金具１４の先端に弾性的に係止させることにより取付ける。コーピング８も同様の構造で躯体１に取付けられる。
【００１９】
図３、図４は支柱５のコーピング４への取付構造を示す図である。支柱５は、断面形状が矩形をなし、内部に４つのタッピングホール５ａを有する。１６は支柱５の下面とコーピング４の上面との間に介在させるシール板である。このシール板１６は支柱５の広さよりやや広い矩形形状を有し、周囲に少なくとも１つの切り込み状の欠除部１６ａを有する。この例ではシール板１６の躯体１の内外方向に対向する２辺に欠除部１６ａを設けている。この支柱５は、コーピング４の下面に当てた裏板１７の孔１７ａ、コーピング４に設けた貫通孔４ｄ、シール板１６の孔１６ａにタッピングねじ等の固定具１９を挿通してタッピングホール５ａに螺合することにより、コーピング４に固定する。裏板１７は下部の両側に突出部１７ｂを有し、この突出部１７ｂを前記取付金具１４の上面の凹部１４ｂ上に載せることにより、支柱５にかかる荷重は、裏板１７、取付金具１４を介して躯体１で支持される。シール板１６は、支柱５内に入る雨水を欠除部１６ａから支柱５の外部に排出させ、雨水が固定具１９の貫通孔４ｄから躯体１側に流下して躯体１を劣化させることを防止する。支柱９も同様の構造でコーピング８に取付けられる。
【００２０】
図５は支柱５に対する胴縁６，１０の取付構造を示す。また、図６は図２の上部の拡大図である。図５、図６に示すように、胴縁６，１０はほぼＵ字形の断面形状を有する。コーナー部ユニット２の胴縁６の端部は、支柱５の上面の片側の半分以下の領域に載せ、胴縁６に貫通してタッピングホール５ａに螺入するタッピングねじ等の固定具２０により支柱５の上面に固定される。一方、直線部ユニット３の胴縁１０は、支柱５の上面に残りの領域に胴縁６の端部と隙間gを持たせて載せる。この隙間ｇは、躯体１の図面と実際の施工寸法との誤差により決定される。
【００２１】
２１はコーナー部ユニット２の胴縁６の端部と直線部ユニット３の胴縁１０の端部とを結合する補強部材である。この補強部材２１は、胴縁６，１０内に嵌合される逆Ｕ字形の断面形状を有し、タッピングねじ等の固定具２２により胴縁６、１０に固定される。
【００２２】
笠木７は、滑らかな湾曲形状を有する外周部７ａと、その内部に縦に設けられた２枚の平行板部７ｂとを有し、この平行板部７ｂ，７ｂの間隔は、胴縁６の幅よりやや広く形成される。平行板部７ｂの下端部には胴縁６側に突出した係止爪７ｃを有する。また、平行板部７ｂの内面には、胴縁６の上端に当てる押さえ部７ｄを突出して形成しており、平行板部７ｂの係止爪７ｃと押さえ部７ｄとの間にも係止爪７ｅを形成している。この笠木７は、胴縁６の上側から押圧して胴縁６に取付ける。すなわち胴縁６の両側板部の上部のく字形部６ａに笠木７の係止爪７ｃを滑らせ、さらに押圧して係止受部６ｂに係止爪７ｃを係止させる。また、同時に、中間部の係止爪７ｅを胴縁６のく字形部６ａの下面に当て、押さえ部７ｄを胴縁６の上端に当てて胴縁６に笠木７を固定する。
【００２３】
図１、図６において、２３は笠木７，１１間の隙間を覆うカバーであり、このカバー２３は笠木７，１１のいずれか一方に嵌合しておき、スライドさせて笠木７，１１間を塞ぎ、タッピングねじ２４によって笠木７，１１の端部に固定する。図１に示すコーピング４，５間の隙間を塞ぐカバー２５も同様の構造で取付ける。これらのカバー２３，２５は笠木７，１１あるいはコーピング４，５の隙間の上方から押しつけてカバー２３，２５の弾性を利用して笠木７，１１やコーピング４，５の隙間に装着し、タッピングねじ２４により固定するようにしてもよい。図１において、２７，２８はそれぞれコーナー部ユニット２の笠木７、コーピング４と建物の躯体（図示せず）との間を埋めるために笠木７、コーピング４の端部に取付けられるカバーである。
【００２４】
次にこの手摺の組立工程について説明する。まず建物の図面を入手して躯体１の寸法を知る。この躯体１の寸法から、工場において、コーピング４，８、支柱５，９、胴縁６，１０、笠木７，１１を所定の長さに切断加工する。ここで図面上に表現された躯体１の寸法は、経験則から、一般的な住宅に使用するものにおいて、直線部に長さにおいて、最大３０ｍｍ程度の範囲でばらつく。このため、コーピング等の材料の切断においては、この現場における躯体１の寸法のずれを考慮して、いかなる場合も設置が可能となるように切断する。すなわち図面より躯体１の幅の最大のばらつきである範囲３０ｍｍを考慮して材料の長さを設定する。これを図面において参照すると、図１１において、例えば胴縁６，１０の長さをそれぞれＬ１，Ｌ２とすると、これらのトータルの長さ（２Ｌ１＋Ｌ２）の長さが、図面から想定されるこの胴縁６，１０の計算上の長さよりもばらつきの範囲（３０ｍｍ）だけ短くなるように設定する。
【００２５】
次にコーナー部ユニット２として、図７、図８に示すように、コーナー部の躯体１に対応して平面視が曲がった構造に組み合わされるコーピング４と、このコーピング４上に固定する複数本の支柱５と、この支柱５上に載置される胴縁６とからなるものを準備する。ここで、胴縁６も、コーナー部の躯体１に対応して平面視が曲がった構造に組み合わされる。また、胴縁６は、図５、図８に示すように、直線部上の胴縁１０の端部に対向する端部を端部支柱５の上面の一部の領域に載置して固定具２０により固定する。
【００２６】
一方、直線部ユニット３として、図９、図１０に示すように、直線状をなすコーピング８と、このコーピング８上に裏板１７と固定具１９によりシール板１６を介在させて固定する複数本の支柱９と、これらの支柱９上に載置されて固定具２０により固定され、一端部が端部支柱９の上面から水平に延出した胴縁１０とからなるものを準備する。ここで、図１１に示すように、胴縁１０はコーピング８の端部からΔＬで示す長さだけ突出させる。これはこの胴縁１０をコーナー部ユニット２の端部支柱５の上面に載せることを可能とするためである。
【００２７】
これらのコーナー部ユニット２や直線部ユニット３の組立は、現場において行うことも可能であるが、設備の整った工場で行うことが現場作業を短縮する意味において好ましい。
【００２８】
躯体１上には、図１に示すように、コーピング４，８を固定する取付金具１４と、コーナー部やコーピング４，８の隙間部分からの躯体１上への漏水を防止するための水切り２６を取付けておく。そして、コーナー部ユニット２と直線部ユニット３の各コーピング４，８を、取付金具１４に図２に示した構造で固定する。このコーピング４，８の躯体１への取付けと同時に、図１２に示すように、直線部ユニット３の胴縁１０の端部をコーナー部ユニット２の端部の支柱５の上面の残部に載置する。ここで、胴縁１０の長さは、躯体１の現場施工の寸法のばらつきを考慮して設定してあるため、端部支柱５の上面に載せることが可能である。この例のように、両側にコーナー部がある場合には、胴縁１０の両端がそれぞれ左右の支柱５，５の上面に等しい長さで載るようにコーピング８の位置をスライド調整する。
【００２９】
なお、この実施の形態においては、これらの胴縁６，１０の対向する端部間に図２、図５、図６にも示した補強部材２１を嵌合し、タッピングねじ等固定具２２によりこの補強部材２１を胴縁６，１０に固定して取付ける。
【００３０】
次に図１３に示すように、コーナー部ユニット２の胴縁６に被せる笠木７を、その笠木７の一部をコーナー部ユニット側に延出させた直線部ユニットの胴縁１０の一部にも被せて取付ける。また、直線部ユニット３の笠木１１も胴縁１０に取付け、笠木１１の両端と笠木７との間の隙間が等しくなるように位置を調整する。なお、この笠木１１は直線部ユニット３を組み立てる際に予め胴縁１０に取付けておいてもよい。
【００３１】
次にコーナー部ユニット２と直線部ユニット３の各笠木７，１１の端部間の隙間および各コーピング４，８間の隙間をカバー２３、２５により被う。
【００３２】
上記のように、支柱５の上部で互いに各ユニット２，３の胴縁６，１０どうしを対向させ、一方の胴縁６を支柱５に固定具２０により固定し、他方の胴縁１０は単に載置するだけの構造としたので、胴縁の継ぎ目の下面が支柱５により隠され、上面を笠木７で隠すため、胴縁６，１０の隙間全体が外に露出しない。すなわち、胴縁６，１０の切断面である端面が外部に現れず、安全性が向上する。
【００３３】
また、胴縁６，１０同士が支柱５上で連結されるため、胴縁６，１０同士の連結部の強度が容易に確保される。このため、従来のようにコーナー部ユニットと直線部ユニットの支柱の間隔を狭める必要がなくなり、支柱の本数を削減できる。この実施の形態の場合、図１４に示した従来例に比較して２本の支柱の削減が可能となり、コスト低減に寄与することができる。また、図１に示すように、支柱の間隔Ｐを均等にすることができ、外観を向上させることができる。
【００３４】
また、この実施の形態においては、支柱５上で対向する胴縁６，１０の端部同士をこれらの胴縁６，１０に嵌合する補強部材２１とこれらを胴縁にタッピングねじ等の固定具２２により固定したので、胴縁同士の結合強度が上がる。
【００３５】
また、この実施の形態においては、コーピング４，８と支柱５，９との間に周囲に欠除部１６ａを有する伸縮性のあるシール板１６を介在させたので、支柱５，９内に雨水が浸入しても、コーピング４，８の上面と支柱５，９の底面との間に挟んだ伸縮性のシール板１６上に落ち、その後、シール板の欠除部１６ａからコーピング４，８の上面と支柱５，９の底面との間の隙間から排出される。このため、コーピング４，８の固定具１９用の貫通孔を通しての躯体１への漏水が防止され、雨水浸入による躯体１の劣化を防止することができる。
【００３６】
上記実施の形態においては、躯体１が２箇所に出隅状のコーナー部を有する例について示したが、本発明は、入隅状のコーナー部を持つものや、出隅状と入隅状のコーナー部の両者を持つ場合にも適用できる。
【図面の簡単な説明】
【００３７】
【図１】本発明の手摺の一実施の形態を示す斜視図である。
【図２】図１の手摺の縦断面図である。
【図３】図２の支柱のコーピングに対する取付構造を示す側面図である。
【図４】図２の支柱のコーピングに対する取付構造を示す横断面図である。
【図５】本実施の形態のコーナー部ユニットの支柱の胴縁および補強部材の取付構造を示す平面図である。
【図６】図２の上部の構造を拡大して示す断面図である。
【図７】本実施の形態のコーナー部ユニットの構成を示す正面図である。
【図８】図７のコーナー部ユニットの支柱と胴縁およびコーピングとの接続構造を示す縦断面図である。
【図９】本実施の形態の直線部ユニットの構成を示す正面図である。
【図１０】図９の直線部ユニットの支柱と胴縁およびコーピングとの接続構造を示す縦断面図である。
【図１１】本実施の形態において、コーナー部ユニットと直線部ユニットの各一部を躯体に取付けた状態を示す正面図である。
【図１２】図１１の部分拡大図である。
【図１３】本実施の形態において、笠木同士の隙間とコーピング同士の隙間にカバーを取付ける工程を示す正面図である。
【図１４】従来の手摺を示す斜視図である。
【図１５】図１４の手摺のコーナー部ユニットと直線部ユニットとの接続部の構造を示す斜視図である。
【図１６】図１４の手摺における胴縁どうしの接続部の構造を示す縦断面図である。
【符号の説明】
【００３８】
１：躯体、１ｃ：コーナー部、１ｄ：直線部、２：コーナー部ユニット、３：直線部ユニット、４，８：コーピング、５，９：支柱、６，１０：胴縁、７，１１：笠木、１３：固定具、１４：取付金具、１６：シール板、１７：裏板、１９，２０：固定具、２１：補強部材、２２：固定具、２３，２５：カバー、２４：タッピングねじ、２６：水切り
【図１】
0005247187.tif 000002
【図２】
0005247187.tif 000003
【図３】
0005247187.tif 000004
【図４】
0005247187.tif 000005
【図５】
0005247187.tif 000006
【図６】
0005247187.tif 000007
【図７】
0005247187.tif 000008
【図８】
0005247187.tif 000009
【図９】
0005247187.tif 000010
【図１０】
0005247187.tif 000011
【図１１】
0005247187.tif 000012
【図１２】
0005247187.tif 000013
【図１３】
0005247187.tif 000014
【図１４】
0005247187.tif 000015
【図１５】
0005247187.tif 000016
【図１６】
0005247187.tif 000017